(57)【特許請求の範囲】
【請求項１】
単独処理浄化槽に嫌気処理槽を配管接続し、該嫌気処理槽に合併処理浄化装置を配管接続してなる合併処理浄化槽であって、上記単独処理浄化槽は、好気処理部への空気供給を停止して槽内を嫌気状態に保ち、上記嫌気処理槽は、嫌気処理を行うための嫌気処理部を備え、上記合併処理浄化装置は好気処理を行うための好気処理部と、好気処理水の滅菌を行う消毒槽を備えたものである合併処理浄化槽。
【請求項２】
単独処理浄化槽に嫌気処理槽を配管接続し、該嫌気処理槽に合併処理浄化装置を配管接続してなる合併処理浄化槽であって、上記単独処理浄化槽は、好気処理部への空気供給を停止して槽内を嫌気状態に保ち、上記嫌気処理槽は、嫌気処理を行うための嫌気処理部を備え、上記合併処理浄化装置は好気処理を行うための好気処理部と、好気処理部の処理水を単独処理浄化槽の消毒室に移送する移送管を備えたものである合併処理浄化槽。
【請求項３】
嫌気処理槽と合併処理化装置の間に流量調整槽を設けた請求項１又は２に記載の合併処理浄化槽。
【請求項４】
合併処理化装置が地上設置される請求項３に記載の合併処理浄化槽。
【請求項５】
浴室排水以外の排水の配管は単独処理浄化槽の流入口に接続し、浴室排水配管のみを単独処理浄化槽の流出口より下流に接続する請求項１乃至４のいずれかに記載の合併処理浄化槽。
【請求項６】
浴室排水配管の途中に流量調整弁を設けたことを特徴とする請求項５記載の合併処理浄化槽。
【発明の詳細な説明】
【０００１】
【発明の属する技術分野】
本発明は、合併処理浄化槽に関する。
【０００２】
【従来の技術】
従来から、屎尿を浄化する装置としては、単独処理浄化槽を用いている。図８は、単独処理浄化槽の１例である分離接触ばっ気方式の単独処理浄化槽を示す概略断面図である。屎尿の浄化方法について説明すると、屎尿は、流入口２から沈殿分離室３へと流入し、固液分離及び嫌気性微生物による嫌気処理が行われ、その後、接触ばっ気室４に移流する。接触ばっ気室４では、移流した沈殿分離処理水が散気管７から散気される空気泡により攪拌されて接触材８に接触し、好気性微生物による好気処理が行われる。接触ばっ気室４を通過した好気処理水は、沈殿室５内で固形分の沈殿分離が行われた後に、分離した上澄み液を消毒室６へと移流させ、塩素剤による滅菌処理を施し、流出口１０より放流する。
【０００３】
接触材８は、散気を継続して行っていると、次第に生物膜が厚く付着して閉塞するので、定期的に逆洗管９より空気泡を吐出させ、通常の散気運転時よりも大量の空気泡を接触材に接触させ、生物膜を接触材から剥離させている。
【０００４】
【発明が解決しようとする課題】
しかしながら、単独処理浄化槽は、処理すべき汚水の種類が屎尿に限定され、台所排水、洗濯排水、洗面排水及び浴室排水等の生活雑排水を処理することができないとの問題点を有している。このような問題点は、既設の単独処理浄化槽を撤去して新たに合併処理浄化槽を設置することで解決できるが、施工費用が高額となるばかりでなく、多くの単独処理浄化槽がＦＲＰ製であることから、不要となった単処理浄化槽の処分に関し新たな問題を発生させる。また、単独処理浄化槽を堀り起こさずに、埋め殺す場合には、単独処理浄化槽の処分問題が発生しないものの、土地の有効活用ができないとの別の問題を発生させる。
【０００５】
本発明は、単独処理浄化槽に付設装置として嫌気処理槽及び合併処理化装置を接続することにより、既設の単独処理浄化槽を有効利用し、安価に合併処理浄化槽を提供することを目的とする。
【０００６】
【課題を解決するための手段】
本発明は、以下のことを特徴とする。
（１）単独処理浄化槽に嫌気処理槽を配管接続し、該嫌気処理槽に合併処理化装置を配管接続してなる合併処理浄化槽であって、上記単独処理浄化槽は、好気処理部への空気供給を停止して槽内を嫌気状態に保ち、上記嫌気処理槽は、嫌気処理を行うための嫌気処理部を備え、上記合併処理化装置は好気処理を行うための好気処理部と、好気処理水の滅菌を行う消毒槽を備えたものである合併処理浄化槽。
（２）単独処理浄化槽に嫌気処理槽を配管接続し、該嫌気処理槽に合併処理化装置を配管接続してなる合併処理浄化槽であって、上記単独処理浄化槽は、好気処理部への空気供給を停止して槽内を嫌気状態に保ち、上記嫌気処理槽は、嫌気処理を行うための嫌気処理部を備え、上記合併処理浄化装置は好気処理を行うための好気処理部と、好気処理部の下流の処理水を単独処理浄化槽の消毒室に返送する返送管を備えたものである合併処理浄化槽。
（３）嫌気処理槽と合併処理化装置の間に流量調整槽を設けた上記（１）又は（２）の合併処理浄化槽。
（４）合併処理浄化装置が地上設置される上記（３）の合併処理浄化槽。
（５）浴室排水以外の排水の配管は単独処理浄化槽の流入口に接続し、浴室排水配管のみを単独処理浄化槽の流出口より下流に接続した上記（１）乃至（４）のいずれかの合併処理浄化槽。
（６）浴室排水配管の途中に流量調整弁を設けたことを特徴とする上記（５）の合併処理浄化槽。
【０００７】
【発明の実施の形態】
本発明に用いる単独処理浄化槽は、屎尿の浄化を行うことができるものであれば特に限定されるものではなく、具体的には、上流側からばっ気室、沈殿室及び消毒室を有した全ばっ気方式、上流側から沈殿分離室、ばっ気室、沈殿室及び消毒室を有した分離ばっ気方式、図８に示した、上流側から沈殿分離室、接触ばっ気室、沈殿室及び消毒室を有する分離接触ばっ気方式等の単独処理浄化槽を用いることができる。また、本発明に用いる単独処理浄化槽は、好気処理を行っている部分の空気供給を停止することで槽内全体を嫌気状態に保つものであるが、既設の単独処理浄化槽が好気処理を行う槽を有さない場合には、そのまま使用することができる。
【０００８】
本発明に用いる嫌気処理槽は、少なくとも嫌気処理を行うための嫌気処理部を備え、単独処理浄化槽の嫌気処理を補うと共に、汚泥を貯留することができる。嫌気処理槽は、特に単独処理浄化槽が全ばっ気方式の場合等に汚泥貯留部として単独処理浄化槽の容量が不足する場合があるので、その不足分を補うことができる。
【０００９】
本発明に用いる合併処理化装置は、少なくとも好気処理を行うための好気処理部と、その好気処理部にて処理を行った好気処理水の滅菌を行う消毒槽とを備えたものである。上記好気処理部は、嫌気処理槽から流入させた嫌気処理水を好気状態に保ち、好気性微生物による処理が行えるものであれば特に限定されるものではない。より具体的には、槽内に担体を充填し、担体下方より空気泡を吐出させる生物反応部を用いることが好ましい。また、この場合生物反応部の下流側に処理水の濾過を行う濾過部を設けることがより好ましい。上記担体としては、好気性微生物をより多く保持することができるように、網様円筒状、骨格様球状、へちま状、小円筒状、波板状、チューブ状、繊維絡み状等の合成樹脂製の成形体、独立気泡体又は連通気泡体を有した合成樹脂製の発砲成形体、アンスラサイト（無煙炭）、珪砂、セラミック等の無機体を用いることが好ましい。上記濾過部に用いる担体は、上記担体と同様のものを用いることができるが、好気性微生物を保持する必要がないので、夾雑物を除去可能なものであれば異なる材質又は形状の担体を用いても良い。担体下方からの空気泡の吐出は、空気ポンプに配管接続した散気管を好適に用いることができ、単独処理浄化槽にて使用していた散気管を移設して使用することができる。
【００１０】
本発明に用いる濾過部に、担体を用いた場合には、担体に捕捉されたＳＳが厚く堆積し、汚水の通過を妨げるようになる。そのため、担体は、定期的に空気泡を供給する必要がある。ＳＳを分離させるための空気泡は、大量の散気を行える専用の散気管を稼働させて発生させるのが良い。また、洗浄水は、単独処理浄化槽へと返送することが好ましく、その返送には水中ポンプ又はエアリフトポンプ等を配管接続したものを用いることが好ましい。洗浄水の返送は、大量の空気泡を用いて捕捉したＳＳを担体から分離させている間に行うことが好ましく、洗浄水の引き抜きは、濾過部の上部又は中間部より行っても良いが、捕捉ＳＳが沈降しやすいことから底部より行うことが好ましい。洗浄は、担体にＳＳが多く捕捉され、汚水の通過が困難となる前に行うことが良く、具体的には、１日１回５分〜３０分程度の空気泡供給を行うことが好ましい。
【００１１】
本発明に用いる消毒槽は、処理水の滅菌処理を行えるものであれば特に限定されるものではなく、具体的には、液体塩素を処理水に添加する方法、次亜塩素酸ソーダ、イソシアヌール酸の錠剤を処理水に接触溶解させる方法を用いることができ、特に錠剤を用いる方法が、取り扱いがしやすく好ましい。
ただし、単独処理浄化槽に設けられている消毒槽の直前の水を嫌気処理部に移流させ、合併処理浄化装置の処理水を単独処理浄化槽の消毒槽に返送する場合には、単独処理浄化槽に設けられている消毒槽の薬剤は取り付けたまま使用して、単独処理浄化槽の消毒槽で処理水を滅菌するので、合併処理化装置には消毒槽を設ける必要はない。
【００１２】
本発明では、嫌気処理槽と合併処理化装置の間に流量調整槽を設けることが好ましい。該流量調整槽は、移送手段を有しており、該移送手段は流量調整槽から合併処理化装置へと水を移送させるものである。該移送手段は、特に限定されるものではなく、具体的には、水中ポンプ又はエアリフトポンプ等を配管接続して用いることが好ましい。
本発明では、流量調整槽を有する場合、流量調整槽から合併処理化装置へは、移送手段を用いて水を流入させるため、必ずしも地中に埋設する必要はなく、地上に設置することができる。
【００１３】
本発明の合併処理浄化槽にて処理可能な汚水は、各家庭、施設等から排出される排水であれば特に限定されるものではなく、具体的には、ディスポーザ排水を含む台所排水、洗濯排水、洗面排水、浴室排水等を処理することができる。また、上記各排水は、全て既設の単独処理浄化槽へと流入させるが、汚れの少ない浴室排水（特に、浴槽排水）は、浴室排水配管を設けて、単独処理浄化槽を通過させることなく、単独処理浄化槽より下流へと流入させるようにしても良い。さらに好ましくは、浴室排水等を単独処理浄化槽および嫌気処理槽を通過させることなく、嫌気処理槽より下流に流入させるようにしても良い。
また、上記浴室排水配管を設けた場合、浴室排水配管に流量調整弁を設けることが好ましく、該流量調整弁により浴室排水配管を利用して浴室排水等を流入させる際に、水の流入量変動を小さくし該好気処理部の好気処理を効率良く行ったり、消毒室を通過させる際に水の流入量変動を小さくし、該消毒槽に流入した水の滅菌を効率良く行うことができる。
【００１４】
【実施例】
以下図面を用いて、本発明の実施例を説明する。図１は、本発明の実施例を示す合併処理浄化槽の概略図であり、（ａ）は上面図を示し、（ｂ）は縦断面図を示す。単独処理浄化槽１３は、既設のものであり、その内部構造は、上流側から第１流入口１１、嫌気処理室１７、好気処理部１８、沈殿室２１、消毒室２２、第１流出口１２を設けてある。また、単独処理浄化槽１３は、その槽内全てを嫌気状態とするために散気管１９からの空気泡吐出を停止している。単独処理浄化槽１３内で嫌気処理された嫌気処理水は、消毒室２２を介して第１流出口１２より流出し、嫌気処理槽２３へと移流する。尚、消毒室２２内の滅菌を行うための消毒薬剤は、取り除いてあり、消毒室２２内での滅菌処理を行わないようにしている。
【００１５】
嫌気処理部として設けられている嫌気処理槽２３は、その内部に上流から第２流入口１４、嫌気処理室３９、沈殿室４０、第２流出口１５を設けてある。好ましくは、嫌気処理室３９は、濾材等を充填して、嫌気濾床を設けた方が良い。
合併処理化装置１６は、その内部に好気処理槽２５を有し、その好気処理槽２５は、槽の内部に担体の通過を妨げ、嫌気処理水を通過させる通水部材３２，３３、３４が設置され、上記通水部材３２、３３の間に担体を充填して生物反応部２６とし、上記通水部材３３、３４の間に担体を充填して濾過部２７としている。生物反応部２６及び濾過部２７の下方には、散気部材２８、２９が設けられており、散気部材２８は好気状態を保つために使用し、散気部材２９は担体で捕捉されたＳＳを分離する際に使用される。
【００１６】
合併処理浄化槽１６は、好気処理槽２５の下流側に処理水貯留部３６及び消毒槽３８を設けてあり、その消毒槽３８に設けた第３流出口４２から処理水を放流する。
【００１７】
単独処理浄化槽１３と嫌気処理槽２３との配管接続は、第１流出口１２と第２流入口１４とを接続する移流管３７によりなされる。また、嫌気処理槽２３と合併処理化装置１６の配管接続は、第２流出口１５と第３流入口４１とを接続する移流管４３によりなされる。
【００１８】
次に、汚水の処理方法について説明を行う。屎尿及び生活雑排水は、第１流入口１１から単独処理浄化槽１３内に流入し、流入量が増えるにつれて、嫌気処理室１７、好気処理室１８、沈殿室２１での水位が上昇する。単独処理浄化槽１３内部は、散気管１９からの空気泡の吐出を停止しているので、嫌気状態が保たれ、嫌気性微生物による汚水の嫌気処理が行われる。
【００１９】
嫌気処理を行った嫌気処理水は、移流管３７により嫌気処理槽２３へと流入する。嫌気処理槽２３に流入した嫌気処理水は、嫌気処理室３９にてさらに嫌気処理が進行する。また、汚泥の一部が嫌気処理槽２３内に貯留される。
嫌気処理槽より流出した処理水は、移流管４３により合併処理化装置１６へと流入する。合併処理化装置１６内に流入した処理水は、散気部材２８からの空気泡吐出により好気状態となっている生物反応部２６にて、好気性微生物による好気処理を施され、濾過部２７の担体により濾過した後に、処理水貯留部３６へと移送される。
【００２０】
生物反応部２６の下流側にある濾過部２７は、濾過を継続して行うことにより、担体と担体との間にＳＳを多く捕捉し、生物反応部２６を通過することで好気処理された好気処理水の通過を妨げるようになる。そこで、本実施例では、散気部材２９から、１日１回１５分間の空気泡吐出を行うことで、担体を攪拌し、捕捉ＳＳの除去を行うようにしている。この捕捉ＳＳを含んだ洗浄水は、洗浄排水引抜口３５より引き抜かれ、洗浄排水移送管３１を用いて単独処理浄化槽１３の嫌気処理室１７へと返送している。
【００２１】
処理水貯留部３６に流入した好気処理水は、貯留時に固形分の沈殿分離を行い、その上澄み液を消毒槽３８へと移送して滅菌処理し、第２流出口１５から系外へと放流される。
図２のように、嫌気処理槽２３と合併処理化装置１６が一体になった場合でも、上記と同様の汚水の処理を行うことができる。
図３のように、単独処理浄化槽１３に設けられている消毒槽２２の直前の水を嫌気処理槽２３に移流させ、合併処理化装置１６の処理水を単独処理浄化槽１３の消毒槽２２に返送する場合には、処理水貯留部３６の上澄み液は、単独処理浄化槽１３に設けられている消毒槽２２に返送されて滅菌処理が行われ、第１流出口１２から系外へと放流される。
また、図４のように、好ましくは嫌気処理槽２３と合併処理化装置１６の間に流量調整槽２０を設けた方が良い。流量調整槽２０には、水中ポンプ２４が設けられており、槽内に溜まった水は水中ポンプ２４によって、合併処理化装置１６に移送される。水中ポンプ２４によって一定量を合併処理化装置１６に移送するので、浴槽排水による一時的な大量の汚水が発生しても、安定した好気処理を行うことができる。さらに、図５のように水中ポンプ２４によって移送するので、合併処理化装置１６を地上に設置することもできる。
図６のように、汚水を処理する際に、浴室排水等の比較的汚れの少ない水は、浴室排水配管３０を設けて、単独処理浄化槽１３よりも下流に流入させることが好ましい。さらに好ましくは、嫌気処理槽２３より下流に流入させる方が汚泥の流出を防ぐことができるので好ましい。また、図７のように、浴室排水配管に流量調整弁４４を設けることにより、合併処理化装置１６の好気処理槽２５あるいは消毒槽３８を大きくする必要がなく、効率良く排水を処理することができる。
【００２２】
【発明の効果】
本発明は、既設の単独処理浄化槽を利用して、合併処理を行うようにしたので、単独処理浄化槽を処分して新たに合併処理浄化槽を設置するよりも安価に汚水の合併処理をすることができ、単独処理浄化槽を処分する必要もなくなる。
また、嫌気処理槽を設けて、単独処理浄化槽での嫌気処理不足、汚泥貯留部としての容量不足も補うことができる。さらに、流量調整槽を設けた場合には、浴槽水を排水する等して一時に大量の汚水が発生しても、安定した汚水処理を行うことができるうえ、流量調整槽から合併処理化装置への移流は、移送手段を用いるために、後から設置する合併処理化装置を地上に設置することもでき、省スペースでの合併処理を行うことができる。
浴室排水配管を設けた場合には、浴槽水等のように一時に大量の汚水が発生しても、単独処理浄化槽内に流入せず、単独処理浄化槽の嫌気処理を効率良く行うことができる。また、浴室排水配管を嫌気処理槽より下流に設けた場合には、単独処理浄化槽及び嫌気処理部の嫌気処理全てを効率良く行うことができる。さらに、浴室排水配管に流量調整弁を設けた場合には、浴槽水等のような大量の汚水が一時に流入しないので、合併処理化装置や消毒槽等をコンパクトにすることができる。
【図面の簡単な説明】
【図１】（ａ）は本発明の一実施例を示す合併処理浄化槽の上面図であり、（ｂ）は縦断面図である。
【図２】本発明の他の実施例を示す合併処理浄化槽の縦断面図を示す。
【図３】（ａ）は本発明のさらに他の実施例を示す合併処理浄化槽の上面図であり、（ｂ）は縦断面図である。
【図４】本発明のさらに他の実施例を示す合併処理浄化槽の縦断面図である。
【図５】本発明のさらに他の実施例を示す合併処理浄化槽の縦断面図である。
【図６】本発明のさらに他の実施例を示す合併処理浄化槽の縦断面図である。
【図７】本発明のさらに他の実施例を示す合併処理浄化槽の縦断面図である。
【図８】従来例を示す、分離接触ばっ気方式の単独処理浄化槽の概略断面図である。
【符号の説明】
１．単独処理浄化槽                      ２．流入口
３．沈殿分離室                          ４．接触ばっ気室
５．沈殿室                              ６．消毒室
７．散気管                              ８．接触材
９．逆洗管                              １０．流出口
１１．第１流入口                        １２．第１流出口
１３．単独処理浄化槽                    １４．第２流入口
１５．第２流出口                        １６．合併処理化装置
１７．嫌気処理室                        １８．好気処理室
１９．散気管                            ２０．流量調整槽
２１．沈殿室                            ２２．消毒室
２３．嫌気処理槽                        ２４．水中ポンプ
２５．好気処理槽                        ２６．生物反応部
２７．濾過部                            ２８．散気部材
２９．散気部材                          ３０．浴室排水配管
３１．洗浄排水移送管                    ３２．通水部材
３３．通水部材                          ３４．通水部材
３５．洗浄排水引抜口                    ３６．処理水貯留
３７．移流管                            ３８．消毒槽
３９．嫌気処理室                        ４０．沈殿室
４１．第３流入口                        ４２．第３流出口
４３．移流管                            ４４．流量調整弁
【図１】
0003541937.tif 000002
【図２】
0003541937.tif 000003
【図３】
0003541937.tif 000004
【図４】
0003541937.tif 000005
【図５】
0003541937.tif 000006
【図６】
0003541937.tif 000007
【図７】
0003541937.tif 000008
【図８】
0003541937.tif 000009